(57)【要約】  【課題】  バッテリターミナルの腐食を効率良く防止する。  【解決手段】  本発明は、バッテリのターミナル用防蝕具１１であって、該防蝕具１１は防蝕用オイルを含浸させた布等から成る円板状の本体１２を有し、該本体１２の中心部には中空部１４が設けられると共に該中空部１４の一ケ所から円周に及んで割目１６が設けられており、更に、前記中空部１４には放射状の多数の切込線１５，１５…が設けられると共に、割リング１７の中心部の巻回部１７ａを前記割目１６の反対方向に開穿されている貫通孔１８に嵌挿し、そして、該巻回部１７ａの一端から一方の割リング片１７ｂを本体１２の表面上の円周近傍に沿設し、そして、その先端部を前記割目１６に接近させて本体１２に固定し、更に、前記巻回部１７ａの他端から他方の割リング片１７ｃを本体１２の裏面上の円周近傍に沿設し、そして、その先端部を前記割目１６に接近させて本体１２に固定して成るものである。【選択図】図１
2005332639.tif 000002
【特許請求の範囲】
【請求項１】
防蝕用オイルを含浸させた布等から成る円板状の本体を有し、該本体は中心部にバッテリのターミナルに外嵌される中空部が開穿されると共に、該中空部の一個所から本体の外周に及んで半径方向に割目が延設されており、且つ、該割目の対峙する縁部が相互に当接する方向へ付勢するための割リングが該本体に配設されて成るバッテリのターミナル用防蝕具に於いて、
上記本体の中心部に開穿されている中空部から多数の切込線が略同一間隔且つ、略同一長さで形成されると共に、上記割リングはその中心部が巻回され、該巻回部の両端から夫々割リング片が前記本体の円周近傍に沿設できるように湾曲されて成り、且つ、前記巻回部は本体に設けた前記割目の反対側に開穿された貫通孔に嵌挿され、一方の前記割リング片は該巻回部の一端から延びて本体の表面上の円周近傍に沿設され、その先端部を前記割目に接近して本体に止着して固定し、更に、他方の割リング片は前記巻回部の他端部から延びて本体上の裏面円周近傍に沿設され、その先端部を前記割目に接近して本体に止着して固定されたことを特徴とするバッテリのターミナル用防蝕具。
【発明の詳細な説明】
【技術分野】
【０００１】
本発明はバッテリのターミナル用防蝕具に関するものであり、特に、自動車に設置されるバッテリのターミナルの腐食を防止するために提案されたバッテリのターミナル用防蝕具に関するものである。
【背景技術】
【０００２】
従来、此種バッテリのターミナル用防蝕具として、実用新案文献１に記載されたバッテリのターミナル用防蝕ワッシャが知られている。
【０００３】
そこで、該実用新案文献１記載のターミナル用防蝕ワッシャを図７及び図８に従って説明する。同文献１記載の前記ワッシャ１は布等にて円板形に形成された本体２を有し、且つ、該本体２の中心部にバッテリのターミナルに外嵌させるための円形の中空部３が開穿され、更に、該中空部３から半径方向の１ケ所に本体２の外周に及んで割目４が形成されている。
【０００４】
又、前記中空部３の縁部に沿って前記本体２内に割リング５が埋め込まれており、且つ、割リング５は前記割目４の両側近傍に左側端部５ａ及び右側端部５ｂが対峙して配設され、そして、本体２を該割目４方向へ付勢している。又、該本体２には防蝕用オイルが含浸されている。
【０００５】
上記従来例は、本体２をバッテリのターミナルポストの根部に前記割目４を介して押し込み、そして、該本体２の前記中空部３をバッテリのターミナルポストの根部に圧接させる。このとき、前記割リング５が前記割目４を閉じる方向へ付勢しているので、本体２がターミナルポストに圧着される。斯くして、バッテリが自動車の走行中等に於いて車体の振動によってバッテリ内の電解液が上昇しようとしてもその上昇は抑止され、一部上昇しても該本体２に含浸している防蝕用オイルによって該電解液によるターミナルの腐食は防止されることができるように構成されている。（特許文献１参照）
【特許文献１】実公平４-５３６号（実用新案登録請求の範囲の項、第１図、第２図）
【発明の開示】
【発明が解決しようとする課題】
【０００６】
上記従来例は布等によって円形状に形成された本体の中心部に円形状の中空部が開穿され、そして、該中空部の縁部に沿って割リングが本体内に埋め込まれ、該割リングの端部を割目近傍に対峙して配設しているので、中空部がバッテリのターミナルポストの根部に当接する際、前記割リングが本体を該割目方向へ付勢するように作用するのであるが、この付勢は極めて小であり、且つ、中空部自体が円形に形成されているので、該中空部の内径及びターミナルポストの外径との相互関連に基づき該中空部が一様にバッテリのターミナルポストに圧接して密着しないことがある。然るときは、該中空部の一部とバッテリのターミナルポストの一部との間に極微細な隙間が生じ、該隙間からバッテリ内の電解液の細かい霧状の硫酸ガスがふき上がり、該電解液によるバッテリのターミナル部分を腐食させる不都合が生じる。
【０００７】
そこで、バッテリのターミナル用防蝕具を該ターミナルに充分に密着させ、該ターミナル用防蝕具によって前記電解液の上昇を効率良く阻止すると共に、該ターミナル用防蝕具に含浸されている防蝕用オイルによって前記電解液によるターミナルの腐食を効果的に防
止するターミナル用防蝕具を得るために解決せられるべき技術的課題が生じてくるのであり、本発明は該課題を解決することを目的とする。
【課題を解決するための手段】
【０００８】
本発明は上記目的を達成するために提案されたものであり、防蝕用オイルを含浸させた布等から成る円板状の本体を有し、該本体は中心部にバッテリのターミナルに外嵌される中空部が開穿されると共に、該中空部の一個所から本体の外周に及んで半径方向に割目が延設されており、且つ、該割目の対峙する縁部が相互に当接する方向へ付勢するための割リングが該本体に配設されて成るバッテリのターミナル用防蝕具に於いて、
上記本体の中心部に開穿されている中空部から多数の切込線が略同一間隔且つ、略同一長さで形成されると共に、上記割リングはその中心部が巻回され、該巻回部の両端から夫々割リング片が前記本体の円周近傍に沿設できるように湾曲されて成り、且つ、前記巻回部は本体に設けた前記割目の反対側に開穿された貫通孔に嵌挿され、一方の前記割リング片は該巻回部の一端から延びて本体の表面上の円周近傍に沿設され、その先端部を前記割目に接近して本体に止着して固定し、更に、他方の割リング片は前記巻回部の他端部から延びて本体上の裏面円周近傍に沿設され、その先端部を前記割目に接近して本体に止着して固定されたことを特徴とするバッテリのターミナル用防蝕具を提供するものである。
【０００９】
この構成によれば、防蝕用オイルを含浸した布等から成る円板状の本体は、その中心部の中空部から放射状に多数延設された切込線を有するので、本体の円周近傍に沿設された割リングの弾性は放射状切込線によって区割される分割片が本体の円周近傍に沿設された割リングの弾性に対する応力を分担することになり、且つ、該割リングの弾性力も本体の円周近傍に設けたので、本体の中空部を一様にバッテリのターミナルに効率良く密集させる。又、割リングの本体に対する組み付けも容易となる。
【発明の効果】
【００１０】
本発明は防蝕用オイルを含浸した布等から成る円板状の本体はその中心部の中空部から放射状に多数の切込線が設けられ、且つ、本体円周近傍に沿設されている割リングの付勢力にて該本体の割目の両縁部が相互に密接して該中空部を縮径し乍ら該中空部をターミナルポストの根部に圧着させるのであるが、このとき、該割リングの付勢力は大きく作用し、且つ、前記中空部は多数の切込線にて区割される各分割片が割リングの弾性力を分担して各自略同一にターミナルポストに圧着することになり、依って、該中空部はターミナルポストの根部に極めて効果的に密着することができる。従って、バッテリ内からふき上がる霧状の硫酸も本発明の防蝕具によってそのふき上げが遮断され、且つ、該防蝕具に含浸している防蝕用オイルがターミナル部分に浸みわたり、バッテリ電解液によるターミナルの腐食が長期間に及んで防止されバッテリの通電性を良好に保ち、且つ、バッテリの寿命を長く維持することが可能となる。
【００１１】
又、前記割リングは中心部が巻回され、そして、該巻回部を本体の割目の反対方向に開穿した貫通孔に嵌挿し、更に、該巻回部の一端から延設される一方の割リング片は本体表面の円周近傍に沿設され、そして、その先端部が前記割目近傍の本体に止着して固定され、更に、他方の割リング片は前記巻回部の他端部から本体裏面上の円周近傍に沿設され、その先端が前記割目近傍の本体に止着して固定されるのであるから、該割リングの中心部の巻回部から両側に延びる割リング片は本体を割目が当接する方向へ付勢し、且つ、本件の中空部をターミナルポストに均等に密着させて僅かの隙間も生じないように効率良く作用する。又、該割リングは本体内に埋め込まれるのではなく、単に本体の表裏両面上に夫々沿設されるのであるから、該割リングの本体に対する組み付けが極めて容易であり、且つ、本体は抜き加工時に外抜き、中抜き及び切込線加工等を同時に実行できるのでコストダウンにも寄与することができる。
【発明を実施するための最良の形態】
【００１２】
本発明は、防蝕用オイルを含浸した布等から成る本体の中心部に開穿した中空部から本体の半径方向一個所に前記中空部と外周に及んで割目が形成され、且つ、該割目の縁部が相互に当接する方向へ付勢させるための割リングを前記本体に設けられて成るバッテリのターミナル用防蝕具に於いて、前記中空部から放射状に多数の切込線を略同一間隔及び略同一長さに設けると共に、前記割目の反対側に貫通孔を開穿し、該貫通孔に割リングの中心部に設けた巻回部を嵌挿し、そして、該巻回部の一端部から一方の割リング片を本体表面上の円周近傍に沿設してその先端部を前記割目近傍へ止着して固定し、更に、他方の割リング片を前記巻回部の他端部から本体裏面上の円周近傍に沿設して、その先端部を前記割目近傍の本体部に止着して固定することにより、バッテリ内の電解液の上昇を阻止し、且つ、該電解液によるターミナルの腐食を防止できるように構成した。
【実施例】
【００１３】
以下、本発明の一実施例を図１乃至図６に従って説明する。図１はバッテリ１０のターミナル用防蝕具１１の平面図であり、図２は図１のＡ−Ａ線断面図、図３は図１のＢ−Ｂ線断面図である。尚、バッテリ１０は主として自動車に搭載されて用いられる。
【００１４】
同図に於いて、前記ターミナル用防蝕具１１は導電性の高い防蝕用オイルを含浸した布等を円形に形成して成る本体１２を有する。該本体１２の中心部には図５及び図６に示すようにバッテリ１０のターミナルポスト１３の根部に嵌着させるための中空部１４が開穿されている。又、該中空部１４からは半径方向に放射状の切込線１５，１５…が多数設けられている。更に又、本体１２には半径方向の一個所に該中空部１４と外周との間に割目１６が設けられ、該割目１６を拡開してバッテリ１０の前記ターミナルポスト１３の根部に側方から押し当て乍ら該中空部１４を該ターミナルポスト１３の根部に当接できるように構成されている。
【００１５】
一方、図１乃至図４に示すように、本発明の割リング１７は中心部に巻回部１７ａが設けられ、そして、該巻回部１７ａの一端部から延びる一方の割リング片１７ｂを本体１２の表面上の円周近傍に沿設できるように湾曲して形成し、更に、他方の割リング片１７ｃは前記巻回部１７ａの他端部から本体１２の裏面上の円周近傍に沿設できるように湾曲して形成される。
【００１６】
而も、該割リング１７の前記巻回部１７ａは本体１２の前記割目１６の反対側に開穿されている貫通孔１８に嵌挿され、そして、前述したように該巻回部１７ａの一端部から延びる一方の割リング片１７ｂを本体１２表面上であって、且つ、円周近傍に沿設すると共に、その先端部１７ｂ−１を本体１２の前記割目１６に接近させて本体１２に止着して固定する。而して、この先端部１７ｂ−１の固定手段としては図２及び図３の図示例では、該割リング片１７ｂの先端部１７ｂ−１を９０度折曲して本体１２に挿通させ、更に、その最先端部１７ｂ−２を９０度折曲して本体１２内に喰い込ませることにより、一方の割リング１７の先端部１７ｂ−１を割目１６に接近させて本体１２に固定している。
【００１７】
又、他方の割リング片１７ｃは前記巻回部１７ａの他端部から本体１２の裏面上であって、且つ、円周近傍に沿設され、更に、その先端部１７ｃ−１は９０度折曲されて前記割目１６に接近して本体１２に挿通させ、更に、該最先端部１７ｃ−２を９０度折曲して折返し部を本体１２に喰い込ませることにより、該他方の割リング片１７ｃの先端部１７ｃ−１を前記割目１６に接近して固定すると共に、双方の割リング片１７ｂ及び１７ｃの各先端部１７ｂ−１及び１７ｃ−１を夫々割目１６を介して対峙して配設されている。
【００１８】
斯くして、該割リング１７は本体１２を割目１６の縁部が相互に当接する方向へ付勢するのであるが、この付勢力も該割リング１７が本体１２の円周近傍に設けられているので
極めて大となり、前記中空部１４の前記ターミナルポスト１３に対する密着力も大となる。更に又、該中空部１４には多数放射状に設けた切込線１５，１５…によって区割される各分割片１５ａ，１５ａ…が前記割リング１７の弾性力を分担して前記ターミナルポスト１３に密着するので、該ターミナルポスト１３と前記中空部との間には僅かな隙間も生じることがなくなる。
【００１９】
斯くの如く、構成された本発明のターミナル用防蝕具１１は図５及び図６に示す如く、ターミナルポスト１３の根部側方から前記割目１６を拡開し乍ら押し込まれることにより、本体１２の中空部１４が該ターミナルポスト１３の根部に当接する。而も、前記切込線１５，１５…によって形成されている各分割片１５ａ，１５ａ…は前記割リング１７の弾性力を分担することになる。斯くして、該分割片１５ａ，１５ａ…は前記ターミナルポスト１３の根部に充分に密着して微細な隙間も生じなくなる。然るときは、バッテリ１０内の電解液が前記ターミナルポスト１３近傍に噴出しようとしても本発明のターミナル用防蝕具１１によってその上昇が阻止されると共に、前記本体１２に含浸されている防蝕用オイルはターミナルポスト部分に浸みわたり、電解液や湿気等から該ターミナルを保護し、長期間に及んでターミナルの腐食を極めて効果的に防止できるのである。
【００２０】
尚、図５及び図６に於いて、１９はターミナルポスト１３に止着されているターミナルクランプであり、該ターミナルクランプ１９にはケーブル２０が結合されてバッテリ１０の蓄電気が出力されるのである。
【００２１】
又、尚、本発明は、本発明の精神を逸脱しない限り種々の改変を為すことができ、そして、本発明が該改変されたものに及ぶことは当然である。
【図面の簡単な説明】
【００２２】
【図１】本発明の一実施例を示し、ターミナル用防蝕具の平面図。
【図２】図１のＡ−Ａ線断面図。
【図３】図１のＢ−Ｂ線断面図。
【図４】本発明の割リングの斜視図。
【図５】本発明のターミナル用防蝕具をバッテリのターミナルに適用した状態を示す平面図。
【図６】図５のＣ−Ｃ線断面図。
【図７】従来のターミナル用防蝕ワッシャの平面図。
【図８】図７の正面図。
【符号の説明】
【００２３】
１０        バッテリ
１１        ターミナル用防蝕具
１２        本体
１３        ターミナルポスト
１４        中空部
１５        切込線
１５ａ      分割片
１６        割目
１７ａ      巻回部
１７ｂ      一方の割リング片
１７ｃ      他方の割リング片
１８        貫通孔
【図１】
2005332639.tif 000003
【図２】
2005332639.tif 000004
【図３】
2005332639.tif 000005
【図４】
2005332639.tif 000006
【図５】
2005332639.tif 000007
【図６】
2005332639.tif 000008
【図７】
2005332639.tif 000009
【図８】
2005332639.tif 000010